(57)【要約】【課題】乾燥運転中の回転ドラム内の衣類の状態を段階的に検知する。【解決手段】回転ドラム２内の衣類に接触するように設けられた第１および第２の一対の電極８、９と、第１および第２の一対の電極８、９間の抵抗値を検出する第１および第２の抵抗検出手段１０、１１と、第１および第２の抵抗検出手段１０、１１に接続された第１および第２のローパスフィルタ１２、１３と、第１および第２のローパスフィルタ１２、１３に接続された信号波形合成手段１４と、信号波形合成手段１４に接続された周波数分析手段１５と、周波数分析手段１５に接続された演算手段１６とを備え、演算手段１６は、第１および第２の一対の電極８、９における各々の検出信号を信号波形合成手段１４により合成し、周波数分析して回転ドラム２内の衣類の乾燥状態を判定するようにしたものである。【選択図】図３
2012055401.tif 000002
【特許請求の範囲】
【請求項１】
本体内に回転自在に設けられた回転ドラムと、前記回転ドラムを駆動するモータと、前記本体の前方部に設けられた内周板と、前記回転ドラム内の衣類に接触するように前記内周板上に設けられた第１の一対の電極および第２の一対の電極と、前記第１の一対の電極間の抵抗値を検出する第１の抵抗検出手段と、前記第２の一対の電極間の抵抗値を検出する第２の抵抗検出手段と、前記第１の抵抗検出手段に接続された第１のローパスフィルタと、前記第２の抵抗検出手段に接続された第２のローパスフィルタと、前記第１のローパスフィルタおよび前記第２のローパスフィルタに接続された信号波形合成手段と、前記信号波形合成手段に接続された周波数分析手段と、前記周波数分析手段に接続された演算手段とを備え、前記演算手段は、前記第１の一対の電極および前記第２の一対の電極におけるそれぞれの検出信号を前記信号波形合成手段により合成し、合成信号波形を前記周波数分析手段により周波数分析して前記回転ドラム内の衣類の乾燥状態を判定するようにした衣類乾燥機。
【請求項２】
演算手段は、第１の一対の電極および第２の一対の電極におけるそれぞれの検出信号の合成信号波形の振幅成分を検出することにより、回転ドラム内の衣類の湿り度合いを湿り状態から乾き状態まで段階的に検出するようにした請求項１記載の衣類乾燥機。
【請求項３】
演算手段は、第１の一対の電極および第２の一対の電極におけるそれぞれの検出信号の合成信号波形の振幅成分のうち、信号出力値が大きい場合、回転ドラム内の衣類が湿り状態であると判定し、信号出力値が小さい場合、回転ドラム内の衣類が乾き状態であると判定するようにした請求項２記載の衣類乾燥機。
【請求項４】
演算手段は、第１の一対の電極および第２の一対の電極におけるそれぞれの検出信号の合成信号波形の周波数成分および振幅成分が検出されない場合、回転ドラム内に衣類がない状態、または乾き状態であると判定するようにした請求項２または３記載の衣類乾燥機。
【請求項５】
演算手段は、第１の一対の電極および第２の一対の電極におけるそれぞれの検出信号の合成信号波形の周波数成分を検出することにより、回転ドラム内の衣類の容量を大容量から小容量まで段階的に検出するようにした請求項１記載の衣類乾燥機。
【請求項６】
演算手段は、第１の一対の電極および第２の一対の電極におけるそれぞれの検出信号の合成信号波形の周波数成分のうち、高い周波数成分の割合が多い場合、回転ドラム内の衣類が大容量であると判定し、低い周波数成分の割合が少ない場合、回転ドラム内の衣類が小容量であると判定するようにした請求項５記載の衣類乾燥機。
【請求項７】
第１の一対の電極および第２の一対の電極は、いずれか一方の一対の電極に対して、他方の一対の電極が、内周板上に設けられる位置または電極の大きさのうち、いずれか一方または両方が異なるようにした請求項１〜６のいずれか１項に記載の衣類乾燥機。
【発明の詳細な説明】
【技術分野】
【０００１】
本発明は、回転ドラム内で衣類等の乾燥をおこなう衣類乾燥機に関するものである。
【背景技術】
【０００２】
従来、この種の衣類乾燥機は、衣類等の負荷量と湿り度合いに応じて運転時間を最適に設定することが考えられている（例えば、特許文献１参照）。
【０００３】
図７は、特許文献１に記載された衣類乾燥機のブロック回路図である。図７において、熱風吹出口を有する内周板に熱源となる正の温度特性を有するヒータ５１を配設し、ファンの回転によりヒータ５１を通って加熱された熱風が熱風吹出口から回転ドラム内に導入され、衣類が加熱乾燥される。回転ドラムの近傍に位置し内周板の熱風吹出口の下部および上部に温度センサ５２ａ、５２ｂを設けて温度を検出するようにしている。
【０００４】
抵抗検知手段５３では電極５４の抵抗値を検出し、温度検知手段５５は温度センサ５２ａ、５２ｂからの温度を検出する。制御手段５６はマイクロコンピュータを含む各種電子回路から構成されている。そして、抵抗検知手段５３および温度検知手段５５からの信号を取り込んでモータ５７およびヒータ５１への通電制御を行う。
【０００５】
そして、図８に示すように、電極５４の抵抗値Ｒが所定時間Ｔ５連続して設定値ｂよりも大きくなった時刻ｔ６より、遅延時間Ｔ７経過した時刻ｔ８において運転を終了するように構成している。
【０００６】
また、電極検知時間比較手段５８によって得られた情報に関しては、運転前の被乾燥物が水分を多く含んでいるときは、抵抗比較手段５９により抵抗値Ｒが所定時間Ｔ５連続して設定値ｂよりも大きくなった時刻ｔ６が遅くなる。逆に、運転前の被乾燥物が水分を多く含んでいないときはｔ６が早くなる。このｔ６を電極検知時間比較手段５８によって複数の設定値と比較することにより運転前の被乾燥物の湿り具合を知ることができる。
【０００７】
演算手段６０は、以上のようにして判断した被乾燥物の容量の大小と、湿り具合に応じた遅延時間Ｔ７をあらかじめ設定された値から選択するようにしている。このため、負荷量、湿り度合いに応じて遅延時間が設定でき、最適な運転時間で自動的に運転を停止させることができるようにしたものである。
【先行技術文献】
【特許文献】
【０００８】
【特許文献１】特開平５−２５３３９７号公報
【発明の概要】
【発明が解決しようとする課題】
【０００９】
しかしながら、前記従来の衣類乾燥機は、乾燥中の電極５４の抵抗値が急激に変化するため、回転ドラム内の衣類の乾燥率を段階的に検知することが困難であるという問題があった。
【００１０】
本発明は、前記従来の課題を解決するもので、回転ドラム内の衣類の乾燥率を段階的に検知できる衣類乾燥機を提供することを目的としている。
【課題を解決するための手段】
【００１１】
前記従来の課題を解決するために、本発明の衣類乾燥機は、回転ドラム内の衣類に接触するように内周板上に設けられた第１の一対の電極および第２の一対の電極と、前記第１の一対の電極間の抵抗値を検出する第１の抵抗検出手段と、前記第２の一対の電極間の抵抗値を検出する第２の抵抗検出手段と、前記第１の抵抗検出手段に接続された第１のローパスフィルタと、前記第２の抵抗検出手段に接続された第２のローパスフィルタと、前記第１のローパスフィルタおよび前記第２のローパスフィルタに接続された信号波形合成手段と、前記信号波形合成手段に接続された周波数分析手段と、前記周波数分析手段に接続された演算手段とを備え、前記演算手段は、前記第１の一対の電極および前記第２の一対の電極におけるそれぞれの検出信号を前記信号波形合成手段により合成し、合成信号波形を前記周波数分析手段により周波数分析して前記回転ドラム内の衣類の乾燥状態を判定するようにしたものである。
【００１２】
これによって、回転ドラム内の衣類等の乾燥率を段階的に検出することができ、衣類等の過乾燥や未乾燥を防止して乾燥運転を最適におこなうことができる。
【発明の効果】
【００１３】
本発明の衣類乾燥機は、衣類等の乾燥率を段階的に精度よく検出することができ、衣類等の過乾燥や未乾燥を防止して乾燥運転を最適におこなうことができる。
【図面の簡単な説明】
【００１４】
【図１】本発明の実施の形態１における衣類乾燥機の概略構成図
【図２】同衣類乾燥機の図１のＡ−Ａ矢視図
【図３】同衣類乾燥機の制御装置の概略システム図
【図４】同衣類乾燥機の回転ドラム内の衣類が大容量の場合の信号を周波数分析した信号出力図
【図５】同衣類乾燥機の回転ドラム内の衣類が小容量の場合の信号を周波数分析した信号出力図
【図６】同衣類乾燥機の回転ドラム内の衣類の状態が異なる場合の信号を周波数分析した信号出力図
【図７】従来の衣類乾燥機のブロック回路図
【図８】同衣類乾燥機の電極の検出抵抗値と時間変化との関係を示すグラフ
【発明を実施するための形態】
【００１５】
第１の発明は、本体内に回転自在に設けられた回転ドラムと、前記回転ドラムを駆動するモータと、前記本体の前方部に設けられた内周板と、前記回転ドラム内の衣類に接触するように前記内周板上に設けられた第１の一対の電極および第２の一対の電極と、前記第１の一対の電極間の抵抗値を検出する第１の抵抗検出手段と、前記第２の一対の電極間の抵抗値を検出する第２の抵抗検出手段と、前記第１の抵抗検出手段に接続された第１のローパスフィルタと、前記第２の抵抗検出手段に接続された第２のローパスフィルタと、前記第１のローパスフィルタおよび前記第２のローパスフィルタに接続された信号波形合成手段と、前記信号波形合成手段に接続された周波数分析手段と、前記周波数分析手段に接続された演算手段とを備え、前記演算手段は、前記第１の一対の電極および前記第２の一対の電極におけるそれぞれの検出信号を前記信号波形合成手段により合成し、合成信号波形を前記周波数分析手段により周波数分析して前記回転ドラム内の衣類の乾燥状態を判定するようにしたことにより、衣類等の乾燥率を段階的に精度よく検出することができ、衣類等の過乾燥や未乾燥を防止して乾燥運転を最適におこなうことができる。また、周波数分析手段および演算手段に対する入力信号が単一化され、単一化された入力信号から回転ドラム内の衣類の複数の情報を検出することができるため、衣類乾燥機の演算処理を効率的におこなうことができる。
【００１６】
第２の発明は、特に、第１の発明の演算手段は、第１の一対の電極および第２の一対の電極におけるそれぞれの検出信号の合成信号波形の振幅成分を検出することにより、回転ドラム内の衣類の湿り度合いを湿り状態から乾き状態まで段階的に検出するようにしたことにより、衣類の湿り度合いに応じて、衣類乾燥機の運転時間を最適に設定することができる。
【００１７】
第３の発明は、特に、第２の発明の演算手段は、第１の一対の電極および第２の一対の電極におけるそれぞれの検出信号の合成信号波形の振幅成分のうち、信号出力値が大きい場合、回転ドラム内の衣類が湿り状態であると判定し、信号出力値が小さい場合、回転ドラム内の衣類が乾き状態であると判定するようにしたことにより、衣類の湿り度合いに応じて、衣類乾燥機の運転時間を最適に設定することができる。
【００１８】
第４の発明は、特に、第２または第３の発明の演算手段は、第１の一対の電極および第２の一対の電極におけるそれぞれの検出信号の合成信号波形の周波数成分および振幅成分が検出されない場合、回転ドラム内に衣類がない状態、または乾き状態であると判定するようにしたことにより、回転ドラム内に衣類がない場合または乾き状態の場合、複数の一対の電極間の抵抗値信号の合成信号波形の周波数成分および振幅成分が検出されないため、使用者が誤使用した場合に衣類乾燥機の運転を終了することができる。
【００１９】
第５の発明は、特に、第１の発明の演算手段は、第１の一対の電極および第２の一対の電極におけるそれぞれの検出信号の合成信号波形の周波数成分を検出することにより、回転ドラム内の衣類の容量を大容量から小容量まで段階的に検出するようにしたことにより、衣類の容量に応じて運転時間を最適に設定することができる。
【００２０】
第６の発明は、特に、第５の発明の演算手段は、第１の一対の電極および第２の一対の電極におけるそれぞれの検出信号の合成信号波形の周波数成分のうち、高い周波数成分の割合が多い場合、回転ドラム内の衣類が大容量であると判定し、低い周波数成分の割合が少ない場合、回転ドラム内の衣類が小容量であると判定するようにしたことにより、衣類の容量に応じて運転時間を最適に設定することができる。
【００２１】
第７の発明は、特に、第１〜第６のいずれか１つの発明の第１の一対の電極および第２の一対の電極は、いずれか一方の一対の電極に対して、他方の一対の電極が、内周板上に設けられる位置または電極の大きさのうち、いずれか一方または両方が異なるようにしたことにより、回転ドラム内の衣類の容量や乾燥率等の情報を複合的に検出することができ、乾燥運転を最適におこなうことができる。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における衣類乾燥機の概略構成図、図２は、同衣類乾燥機の図１のＡ−Ａ矢視図、図３は、同衣類乾燥機の制御装置の概略システム図、図４は、同衣類乾燥機の回転ドラム内の衣類が大容量の場合の、複数の一対の電極の検出信号を周波数分析した信号出力図、図５は、同衣類乾燥機の回転ドラム内の衣類が小容量の場合の、複数の一対の電極の検出信号を周波数分析した信号出力図である。
【００２４】
図１〜図５において、衣類乾燥機の本体１内に回転ドラム２が回転可能に設けられ、後面に取り付けたモータ３によって回転駆動される。モータ３はブラシレス直流モータで構成され、インバータ制御によって回転速度が自在に変化させることができるようになっている。回転ドラム２は、略有底円筒状に形成され、その回転軸２ａは本体１に対して水平
方向に設定されている。
【００２５】
回転ドラム２の前面側に衣類等の乾燥対象を出し入れする開口部４が設けてあり、開閉自在な扉５によって開閉することができる。回転ドラム２の内周側面には、衣類等を撹拌するバッフル６が複数突設してあり、回転ドラム２の回転によって衣類等がバッフル６で持ち上げられ、回転ドラム２内で撹拌される。
【００２６】
本体１内の前部には、回転ドラム２の前面側に設けた円形の開口部４と対向するように内周板７が環状に配設され、開口部４の縁部に沿ってドーナツ状に形成されている。内周板７の回転ドラム２側の表面には、第１の一対の電極８と第２の一対の電極９が形成され、回転ドラム２内で撹拌される衣類と接触するように設けられている。
【００２７】
第１の一対の電極８と第２の一対の電極９は、互いに衣類と接触する面積を異なる大きさに形成してあり、内周板７の円周水平方向の長さ、すなわち、回転ドラム２の回転方向の長さＬ１を第１の一対の電極８は長く、第２の一対の電極９の長さＬ２は、第１の一対の電極８の長さＬ１より短くしている。
【００２８】
第１の一対の電極８は、所定の間隔を有して内周板７の下部、すなわち、回転ドラム２の回転軸２ａを通る垂直線イ上に設けてあり、第２の一対の電極９は、所定の間隔を有して内周板７の左部、すなわち、回転ドラム２の回転軸２ａを通る水平線ロ上に設けられている。
【００２９】
第１の一対の電極８および第２の一対の電極９は、いずれか一方の一対の電極に対して、他方の一対の電極が、内周板７上に設けられる位置または電極の大きさのうち、いずれか一方または両方が異なるように構成してあり、回転ドラム２内の衣類の容量および乾燥状態の違いにより、それぞれの一対の電極８、９間に接触する単位時間当たりの頻度が異なる。各々の電極８、９の形状は、回転軸２ａを中心とする開口部４の縁部に沿って円弧状に形成してもよい。
【００３０】
第１の一対の電極８間の抵抗値は、第１の抵抗検出手段１０によって検知し、第２の一対の電極９間の抵抗値は、第２の抵抗検出手段１１によって検知する。回転ドラム２内の湿った衣類が第１の一対の電極８および第２の一対の電極９に接触すると電気的に導通し、各々の電極８、９間の抵抗値を検知信号として第１の抵抗検出手段１０と第２の抵抗検出手段１１にそれぞれ入力される。
【００３１】
回転ドラム２内に衣類がない場合、または、乾いた衣類が各々の電極８、９に接触した場合は電気的に導通しないため、検知信号が第１の抵抗検出手段１０および第２の抵抗検出手段１１にそれぞれ入力されないので、回転ドラム２内に衣類がない状態、または、回転ドラム２内の衣類が乾き状態であると判定できる。
【００３２】
第１のローパスフィルタ１２および第２のローパスフィルタ１３には、それぞれ第１の抵抗検出手段１０の出力信号１０ａおよび第２の抵抗検出手段１１の出力信号１１ａが入力されるが、回転ドラム２内の衣類が一対の電極８、９に接触する単位時間当たりの頻度は、衣類の形状（絡まり度合い）により不安定になるため、図３のように、第１の抵抗検出手段１０の出力信号１０ａおよび第２の抵抗検出手段１１の出力信号１１ａは、高周波成分を含んだ信号波形となる。
【００３３】
第１のローパスフィルタ１２および第２のローパスフィルタ１３において、第１の抵抗検出手段１０の出力信号１０ａおよび第２の抵抗検出手段１１の出力信号１１ａの高周波成分が減衰され、第１のローパスフィルタ１２の出力信号１２ａおよび第２のローパスフ
ィルタ１３の出力信号１３ａは、特定の周波数成分のみが取り出される。
【００３４】
信号波形合成手段１４には、第１のローパスフィルタ１２の出力信号１２ａおよび第２のローパスフィルタ１３の出力信号１３ａが入力され、信号波形合成手段１４において、それぞれの信号波形が合成され、信号波形合成手段１４の出力信号１４ａが出力される。
【００３５】
周波数分析手段１５には、信号波形合成手段１４の出力信号１４ａが入力され、周波数分析された周波数分析手段１５の出力信号１５ａが演算手段１６に出力される。演算手段１６には、周波数分析手段１５の出力信号１５ａが入力され、周波数成分および振幅成分を演算することにより、回転ドラム２内の衣類の状態を判定することができる。
【００３６】
図４は、回転ドラム２内の衣類が大容量の場合の、複数の一対の電極８、９の検出信号を周波数分析した信号出力値の一例を示している。
【００３７】
衣類が大容量の場合の運転開始直後の周波数に対する信号出力値１７は、運転開始直後（衣類が湿り状態）において、衣類が複数の一対の電極８、９に接触し、電極８、９が導通する単位時間当たりの頻度が多いため、より高い周波数ｆ２成分およびｆ３成分（ただし、図４において周波数ｆは、ｆ１＜ｆ２＜ｆ３）が検出される。
【００３８】
衣類が大容量の場合の乾燥率９０％程度時の周波数に対する信号出力値１８は、回転ドラム２内の衣類は、例えば、乾燥率９０％程度の乾き状態であるため、衣類が複数の一対の電極８、９に接触し、電極８、９が導通する単位時間当たりの頻度が運転開始直後に比べて少なくなるため、より低い周波数ｆ１成分のみが検出される。
【００３９】
衣類が大容量の場合の乾燥率１００％程度時の周波数に対する信号出力値１９は、回転ドラム２内の衣類は、例えば、乾燥率１００％程度の乾き状態であるため、衣類が複数の一対の電極８、９に接触し、電極８、９が導通することがなくなるため、周波数成分が検出されなくなる。
【００４０】
以上のように、本発明の衣類乾燥機は、回転ドラム２内の衣類が大容量の場合、複数の一対の電極８、９の検出信号を周波数分析した信号出力値が、乾燥運転の進行程度（衣類の乾燥率）に応じて変化していくため、回転ドラム２内の衣類の乾燥状態を判定することができる。
【００４１】
図５は、回転ドラム２内の衣類が小容量の場合の、複数の一対の電極８、９の検出信号を周波数分析した信号出力値の一例を示している。
【００４２】
衣類が小容量の場合の運転開始直後の周波数に対する信号出力値２０は、運転開始直後（衣類が湿り状態）において、衣類が複数の一対の電極８、９に接触し、電極８、９が導通する単位時間当たりの頻度が少ないため、より低い周波数ｆ１成分およびｆ２成分（ただし、図５において周波数ｆは、ｆ１＜ｆ２＜ｆ３）が検出される。
【００４３】
衣類が小容量の場合の乾燥率９０％程度時の周波数に対する信号出力値２１は、回転ドラム２内の衣類は例えば、乾燥率９０％程度の乾き状態であるため、衣類が複数の一対の電極８、９に接触し、電極８、９が導通する単位時間当たりの頻度が運転開始直後に比べて、少なくなるため、より低い周波数ｆ１成分のみが検出される。
【００４４】
衣類が小容量の場合の乾燥率１００％程度時の周波数に対する信号出力値２２は、回転ドラム２内の衣類は、例えば、乾燥率１００％程度の乾き状態であるため、衣類が複数の一対の電極８、９に接触し、電極８、９が導通することがなくなるため、周波数成分が検
出されなくなる。
【００４５】
以上のように、本発明の衣類乾燥機は、回転ドラム２内の衣類が小容量の場合、複数の一対の電極８、９の検出信号を周波数分析した信号出力値が、乾燥運転の進行程度（衣類の乾燥率）に応じて変化していくため、回転ドラム２内の衣類の乾燥状態を判定することができる。
【００４６】
図６は、回転ドラム２内の衣類の容量と、乾燥状態の違いによる複数の一対の電極８、９の検出信号を周波数分析した信号出力値の一例を示している。
【００４７】
衣類が大容量で、運転開始直後の乾燥率６０％程度の場合の周波数に対する信号出力値２３は、回転ドラム２内の衣類は、例えば、大容量かつ乾燥率６０％程度のより湿り状態であるため、衣類が複数の一対の電極８、９に接触し、電極８、９が導通する単位時間当たりの頻度がより多く、検出される一対の電極８、９間の抵抗値が小さいため、より高い周波数ｆ２成分およびｆ３成分（ただし、図６において周波数ｆは、ｆ１＜ｆ２＜ｆ３）、かつ大きい出力値ｙ１（ただし、図６において出力値ｙはｙ１＞ｙ２）が検出される。
【００４８】
衣類が大容量で、運転開始直後の乾燥率８０％程度の場合の周波数に対する信号出力値２４は、回転ドラム２内の衣類は、例えば、大容量かつ乾燥率８０％程度のより乾き状態であるため、衣類が複数の一対の電極８、９に接触し、電極８、９が導通する単位時間当たりの頻度がより多く、検出される一対の電極８、９間の抵抗値が大きいため、より高い周波数ｆ２成分およびｆ３成分、かつ小さい出力値ｙ２が検出される。
【００４９】
衣類が小容量で、運転開始直後の乾燥率６０％程度の場合の周波数に対する信号出力値２５は、回転ドラム２内の衣類は、例えば、小容量かつ乾燥率６０％程度のより湿り状態であるため、衣類が複数の一対の電極８、９に接触し、電極８、９が導通する単位時間当たりの頻度がより少なく、検出される一対の電極８、９間の抵抗値が小さいため、より低い周波数ｆ１成分およびｆ２成分、かつ大きい出力値ｙ１が検出される。
【００５０】
衣類が小容量で、運転開始直後の乾燥率８０％程度の場合の周波数に対する信号出力値２６は、回転ドラム２内の衣類は、例えば、小容量かつ乾燥率８０％程度のより乾き状態であるため、衣類が複数の一対の電極８、９に接触し、電極８、９が導通する単位時間当たりの頻度がより少なく、検出される一対の電極８、９間の抵抗値が大きいため、より低い周波数ｆ１成分およびｆ２成分、かつ小さい出力値ｙ２が検出される。
【００５１】
以上のように、本発明の衣類乾燥機は、第１の一対の電極８および第２の一対の電極９におけるそれぞれの検出信号を信号波形合成手段１４により合成し、合成信号波形を周波数分析手段１５により周波数分析して回転ドラム２内の衣類の乾燥状態を判定するようにしたものであり、回転ドラム２内の衣類等の乾燥率を段階的に検出することができ、衣類等の過乾燥や未乾燥を防止して乾燥運転を最適におこなうことができる。
【産業上の利用可能性】
【００５２】
以上のように、本発明にかかる衣類乾燥機は、衣類等の乾燥率を段階的に精度よく検出することができ、衣類等の過乾燥や未乾燥を防止して乾燥運転を最適におこなうことができるので、衣類乾燥機として有用である。
【符号の説明】
【００５３】
８  第１の一対の電極
９  第２の一対の電極
１０  第１の抵抗検出手段
１１  第２の抵抗検出手段
１２  第１のローパスフィルタ
１３  第２のローパスフィルタ
１４  信号波形合成手段
１５  周波数分析手段
１６  演算手段
【図１】
2012055401.tif 000003
【図２】
2012055401.tif 000004
【図３】
2012055401.tif 000005
【図４】
2012055401.tif 000006
【図５】
2012055401.tif 000007
【図６】
2012055401.tif 000008
【図７】
2012055401.tif 000009
【図８】
2012055401.tif 000010